(57)【要約】【課題】  ３種類の表示を行うことができ、点灯がない場合でも表示を行うことができる可変表示構造を提供すること。【解決手段】  第１印刷部分１０ｂと、第２印刷部分１０ｃと、背景印刷部分１０ｅと、第１表示１２と第２表示１３の重複する部分と重なる部分で、第１光源３及び第２光源４の光を抑制して透過する調光印刷部分１０ｄと、第１光源３と第２光源４のいずれか又は両方の波長を透過させると共に、外光を反射して表示を行う白印刷部分１０ｈとを備え、第１表示１２と第２表示１３及び第３表示１４を行わせた。【選択図】      図２
2006337772.tif 000002
【特許請求の範囲】
【請求項１】
透光性のあるシートに波長の異なる第１光源の光と第２光源の光を切り換えて投光させ、
第１表示と第２表示を行わせる可変表示構造であって、
前記第１光源の波長のみを透過させる第１印刷部分と、
前記第２光源の波長のみを透過させる第２印刷部分と、
前記第１光源の波長と第２光源の波長を透過させない第３印刷部分と、
前記第１表示と前記第２表示の重複する部分と重なる部分で、第１光源及び第２光源の光を抑制して透過する調光印刷部と、
外光を反射して表示を行う第４印刷部分と、
を備え、
第１表示と第２表示及び第３表示を行わせる、
ことを特徴とする可変表示構造。
【請求項２】
請求項１に記載の可変表示構造において、
前記第４印刷部分で表示させる第３表示は、第１表示及び第２表示に重なるように設け、
前記第４印刷部分は、
前記第１印刷部分と重なる部分は、少なくとも第１光源の波長を透過し、
前記第２印刷部分と重なる部分は、少なくとも第２光源の波長を透過し、
前記調光印刷部と重なる部分は、少なくとも第１光源及び第２光源の光を透過する、
ことを特徴とする可変表示構造。
【請求項３】
請求項１又は請求項２に記載の可変表示構造において、
前記第１印刷部分と前記第２印刷部分、前記第３印刷部分、前記調光印刷部より表示面側に光の透過を抑制した抑制部を設け、
抑制部の表示面側に前記第４印刷部分を設けた、
ことを特徴とする可変表示構造。
【請求項４】
請求項３に記載の可変表示構造において、
前記抑制部は印刷部分であり、
前記第４印刷部分と、第４印刷部分と重なる前記抑制部の部分との重なり状態での光の透過と、
前記第４印刷部分を設けない前記抑制部の部分での光の透過を略同じにした、
ことを特徴とする可変表示構造。
【請求項５】
請求項３又は請求項４に記載の可変表示構造において、
前記抑制部はスモーク印刷部分であり、
前記第４印刷部分は白印刷部分である、
ことを特徴とする可変表示構造。
【請求項６】
前記第４印刷部分が第３表示を行うために反射する光を、前記第４印刷部分に照射する第３光源を設けた、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来の技術においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照）。
【特許文献１】特開２００１−１００６７９号公報（第２−８頁、全図）
【発明の開示】
【発明が解決しようとする課題】
【０００３】
しかしながら、従来では、２つの意匠のうちどちらかの選択であり、光源の非点灯時には、表示がないものであった。
【０００４】
これに対し、点灯がない場合における表示、及び第３の表示を行いたいという要求がある。
【０００５】
本発明は、上記問題に着目してなされたもので、その目的とするところは、３種類の表示を行うことができ、点灯がない場合でも表示を行うことができる可変表示構造を提供することにある。
【課題を解決するための手段】
【０００６】
上述の目的を達成するため、本発明の可変表示構造では、透光性のあるシートに波長の異なる第１光源の光と第２光源の光を切り換えて投光させ、第１表示と第２表示を行わせる可変表示構造であって、前記第１光源の波長のみを透過させる第１印刷部分と、前記第２光源の波長のみを透過させる第２印刷部分と、前記第１光源の波長と第２光源の波長を透過させない第３印刷部分と、前記第１表示と前記第２表示の重複する部分と重なる部分で、第１光源及び第２光源の光を抑制する調光印刷部と、前記第１光源と前記第２光源のいずれか又は両方の波長を透過させると共に、外光を反射して表示を行う第４印刷部分とを備え、第１表示と第２表示に加えて第３表示を行わせることを特徴とする。
【発明の効果】
【０００７】
本発明では、３種類の表示を行うことができ、点灯がない場合でも表示を行うことができる。
【発明を実施するための最良の形態】
【０００８】
以下に、本発明の距離画像生成装置を実現する実施の形態を、実施例に基づいて説明する。
【実施例１】
【０００９】
まず構造を説明する。
図１は実施例１の可変表示構造のスイッチを示す断面図である。図２は実施例１のカラーフィルタの正面図である。図３は図２のＡ−Ａ断面図である。図４は第１スモーク印刷部分、第２スモーク印刷部分、白印刷部分を除いたカラーフィルタの正面図である。図５は第１印刷部分、第２印刷部分の特性と第１光源、第２光源の波長との関係を示す説明図である。図６は、第１表示、第２表示、第３表示を表示させた状態を示す説明図である。
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
【００１０】
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
第１光源３及び第２光源４としては、異なる色を発色するLEDがコスト抑制、メンテナンス性から好ましいが、別のものであってもよい。次に、内外で２重の枠部分を有するスライダ８を設ける。スライダ８の内部の枠部分は、第１光源３及び第２光源４側に行くに従って角錐状に内側が狭くなる形状にする。また、スライダ８の内側の枠形状部分は後方に延長し、第１光源３及び第２光源４の側方を覆うようにする。
【００１１】
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。
【００１２】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１３】
カラーフィルタ１０は、透明なシート１０ａの前面に、第１印刷部分１０ｂ、第２印刷部分１０ｃ、調光印刷部分１０ｄ、背景印刷部分１０ｅ（第３印刷部分に相当する、第１スモーク印刷部分１０ｆ、第２スモーク印刷部分１０ｇ（第１、第２スモーク印刷部分１０ｆ，１０ｇで抑制部に相当する）、白印刷部分１０ｈ（第４印刷部分に相当する）を設ける。
ここで、第１表示１２を図６(a)に示す文字の「Ａ」、第２表示１３を図６(b)に示す文字の「Ｅ」、第３表示１４を図６(c)に示す文字の「Ｉ」とする。
第１印刷部分１０ｂは、第１表示１２である「Ａ」の第２表示１３「Ｅ」と重ならない図４の部分であり、赤色光を通過させる赤い色の印刷である。この第１印刷部分１０ｂの波長に対する透過効率の特性は、図５の線２１で示す特性となる。
【００１４】
第２印刷部分１０ｃは、第２表示１３である「Ｅ」の第１表示１２「Ａ」と重ならない図４の部分であり、青色光を通過させる青い色の印刷である。この第２印刷部分１０ｃの波長に対する透過効率の特性は、図６の線２３で示す特性となる。
調光印刷部１０ｄは、第１表示１２である「Ａ」と第２表示１３である「Ｅ」の重なる図４の部分であり、赤色光及び青色光を通過させる印刷である。実施例１では、色を紫色にしている。
【００１５】
次に、この第１印刷部分１０ｂや第２印刷部分１０ｃ等を設けた上に、第１スモーク印刷部分１０ｆ、第２スモーク印刷部分１０ｇ、白印刷部分１０ｈを印刷する。
まず、第３表示である「Ｉ」の部分に第２スモーク印刷部分１０ｇを設ける。この第２スモーク印刷部分１０ｇに重ねるようにして、白印刷部分１０ｈを印刷する。第２スモーク印刷部分１０ｇ及び白印刷部分１０ｈを設けた以外の部分には、第１スモーク印刷部分１０ｆを印刷する。この第１スモーク印刷部分１０ｆは、第２スモーク印刷部分１０ｇと白印刷部分１０ｈと同等のインクの厚みとなるよう印刷する。さらに、第１スモーク印刷部分１０ｆの光の透過性と、第２スモーク印刷部分１０ｇに白印刷部分１０ｈを合わせた部分の光の透過性とが、同等になるようにスモークの濃さが調整されているものとする。
【００１６】
つまり、第１スモーク印刷部分１０ｆ、第２スモーク印刷部分１０ｇ、白印刷部分１０ｈで構成される一面は、略均一な光の透過性となるよう構成する。
実施例１では、第１スモーク印刷部分１０ｆ、第２スモーク印刷部分１０ｇを設けるため、スモークレンズ１１のスモークの濃さをその分、薄くしてもよい。
【００１７】
次に作用を説明する。
[表示作用]
(a)第１表示
実施例１において、第１表示１２を表示させるには、第１光源３を点灯させ、第２光源４を消灯する。
第１光源３から発せられる光は、スライダ８の内側枠で、第１光源３の側方に発散する光を前方に反射する。
このスライダ８の内側枠の内部空間を通るようにして、前面部分からカラーフィルタ１０に光が入光する。
【００１８】
すると、光はシート１０ａを通過し、第１印刷部分１０ｂでは、図５に示すように第１光源の光を通過させる（線２１と線２２で示す関係）ため、第１印刷部分１０ｂが明るく表示する。
さらに、調光印刷部１０ｄは、第１光源３及び第２光源４のどちらの光も通過させるため、この場合には、第１光源３の光を通過させる。調光印刷部１０ｄは第１印刷部分１０ｂに近い色みで明るく表示することになる。
【００１９】
一方、第２印刷部分１０ｃは、図５において、第１光源３の特性（線２２）に対して線２３で示す特性になるため、第１光源３の光は通過できない。
また、背景印刷部分１０ｅは、第１光源３の光、第２光源４の光のいずれも通過させない。
さらに、第１スモーク印刷部分１０ｆ、第２スモーク印刷部分１０ｇ、白印刷部分１０ｈは、一面が均一な透光性のスモーク面となっているため、表示光の波長特性に関わらず、やや輝度を減ずるように光を通過させる。よって、第１印刷部分１０ｂを通過した第１光源３の光と、調光印刷部１０ｄを通過した第１光源３の光は、このスモーク作用によりやや暗くぼかされて表示光を通過させる。そのため、第１印刷部分１０ｂと調光印刷部１０ｄの色みの違いもさらに認識できにくくなり、実際に使用する人が見る距離では、見分けがつきにくくなる。このようにして、第１表示１２、つまり、図６(a)に示す「Ａ」が表示されることになる。
【００２０】
(b)第２表示
実施例１において、第２表示１３を表示させるには、第２光源４を点灯させ、第１光源３を消灯する。
すると、第２印刷部分１０ｃと第２光源４との関係は、図５の線２３と線２４の関係となるため、第２印刷部分１０ｃが明るく表示される。
さらに、調光印刷部１０ｆでは、第１光源３及び第２光源４のどちらの光も通過させるため、この場合には、第２光源４の光を通過させる。調光印刷部１０ｄは第２印刷部分１０ｃに近い色みと明るさで表示することになる。
【００２１】
一方、第１印刷部分１０ｂと第２光源４との関係は、図５において、線２１と線２４の関係となるため、第２光源４の光は通過できない。
また、背景印刷部分１０ｅは第１光源３及び第２光源４の光をいずれも通過させない。
さらに、第１スモーク印刷部分１０ｆ、第２スモーク印刷部分１０ｇ、白印刷部分１０ｈは、一面が均一な透光性のスモーク面となっているため、表示光の波長特性に関わらず、やや輝度を減ずるように光を通過させる。よって、第２印刷部分１０ｃを通過した第２光源４の光と、調光印刷部１０ｄを通過した第２光源４の光は、このスモーク作用によりやや暗くぼかされて表示光を通過させる。そのため、第２印刷部分１０ｃと調光印刷部１０ｄの色みの違いもさらに認識できなくなり、実際に使用する人が見る距離では、見分けがつかなくなる。このようにして、第２表示１３、つまり、図６(b)に示す「Ｅ」が表示されることになる。
【００２２】
(c)第３表示
実施例１において、第３表示１４を表示させるには、第１光源３、第２光源４を共に消灯する。
すると、第１スモーク印刷部分１０ｆ、第２スモーク印刷部分１０ｇ、スモークレンズ１１により、透光性が低くされることにより、スモーク印刷より内部にある印刷パターンが見えないようになる。
スモークレンズ１１を通して、この第１スモーク印刷部分１０ｆを外部から見た場合、色はスモークの色が暗く見えることになる。
これに対して、文字「Ｉ」を形成した白印刷部分１０ｈは表示面側に配置され、第２スモーク印刷部分１０ｇは光源側に配置されているため、白印刷部分１０ｈが外光を反射することで、スモークレンズ１１を通して、この白印刷部分１０ｈを外部から見た場合、白く見えることになる。
これによって、第３表示１４である文字「Ｉ」が表示される。
【００２３】
言い換えて説明すると、第１光源３や第２光源４の光が白印刷部分１０ｈ及び第２スモーク印刷部分１０ｇを通る際には、光の透過性として、第１スモーク印刷部分１０ｆと同等であり、白印刷部分１０ｈの反射光は、光源側に反射されるだけとなり、表示に影響しない。
これに対し、第１光源３及び第２光源４を消灯した場合には、外光の白印刷部分１０ｈによる反射光を人が見ることになり、新たな表示となる。
【００２４】
[スイッチ作用]
実施例１では、操作する人がスモークレンズ１１を押すと、一体化したスライダ８が摺動し、スライダ８の一部がタクトスイッチ５を押す。
スイッチ１としては、基板６に設けられる図示しない回路によって、どちらの表示状態において、タクトスイッチ５に入力があったかを判断し、２つの操作入力として使用する。これにより、１つのスイッチにおいて、異なるモードでの操作入力が可能となる。
【００２５】
[表示品質の向上作用]
スライダ８の枠状部分は、光源の側方への光を集めて前方に向かわせる。よって、全体的により明るい表示にすることができ、表示品質が向上する。
【００２６】
次に効果を説明する。
本実施の形態の可変表示構造にあっては、次に列挙する効果を得ることができる。
(1)透光性のあるカラーフィルタ１０に波長のことなる第１光源３と第２光源４の光を切り換えて投光させ、第１表示１２と第２表示１３を行わせる可変表示構造であって、第１光源３の波長のみを透過させる第１印刷部分１０ｂと、第２光源４の波長のみを透過させる第２印刷部分１０ｃと、第１光源３の波長と第２光源４の波長を透過させない背景印刷部分１０ｅと、第１表示１２と第２表示１３の重複する部分と重なる部分で、第１光源３及び第２光源４の光を抑制して透過する調光印刷部分１０ｄと、外光を反射して表示を行う白印刷部分１０ｈとを備え、第１表示１２と第２表示１３及び第３表示１４を行わせるため、３種類の表示を行うことができ、点灯がない場合でも表示を行うことができる。
【００２７】
(2)白印刷部分１０ｇで表示させる第３表示１４は、第１表示１２、第２表示１３に重なるように設け、白印刷部分１０ｇは、第１印刷部分１０ｂと重なる部分は、少なくとも第１光源３の波長を透過し、第２印刷部分１０ｃと重なる部分は、少なくとも第２光源４の波長を透過し、調光印刷部１０ｄと重なる部分は、少なくとも第１光源３及び第２光源４の光を透過するため、同じ表示位置において、第１表示１２、第２表示１３、第３表示１４を行うことができる。
【００２８】
(3)第１印刷部分１０ｂと第２印刷部分１０ｃ、背景印刷部分１０ｅ、調光印刷部１０ｄより表示面側に光の透過を抑制した第１スモーク印刷部分１０ｆ、第２スモーク印刷部分１０ｇを設け、第２スモーク印刷部分１０ｇの表示面側に白印刷部分１０ｈを設けたため、第１表示１２、第２表示１３の際には、第１スモーク印刷部分１０ｆ、第２スモーク印刷部分１０ｇ、白印刷部分１０ｈは、均一なスモーク面として作用し、第１光源３及び第２光源４の消灯の際には、白印刷部分１０ｈが外光を反射することで第３表示１４を行い、３種類の表示を行うことができ、点灯がない場合でも表示を行うことができる。
【００２９】
(4)第１スモーク印刷部分１０ｆ、第２スモーク印刷部分１０ｇは印刷部分であり、白印刷部分１０ｈと、白印刷部分１０ｈと重なる第２スモーク印刷部分１０ｇとの重なり状態での光の透過と、白印刷部分１０ｈを設けない第１スモーク印刷部分１０ｆの部分での光の透過を略同じにしたため、第１表示１２、第２表示１３の際に輝度ムラのない良好な品質の表示を行うことができる。
【００３０】
(5)抑制部は第１スモーク印刷部分１０ｆ、第２スモーク印刷部分１０ｇであり、第４印刷部分は白印刷部分１０ｈであるため、第１表示１２、第２表示１３の際には、第１スモーク印刷部分１０ｆ、第２スモーク印刷部分１０ｇ、白印刷部分１０ｈは、均一なスモーク面として作用し、第１光源３及び第２光源４の消灯の際には、白印刷部分１０ｈが外光を反射することで第３表示１４を行い、３種類の表示を行うことができ、点灯がない場合でも表示を行うことができる。
【実施例２】
【００３１】
実施例２は、可変表示構造を自動車のプッシュスタートのスイッチに用いた例である。
まず構造を説明する。
図７は実施例２の可変表示構造のプッシュスタートのスイッチを示す断面図である。図８は実施例２の第１表示、第２表示、第３表示を表示させた状態を示す説明図である。図９は従来の技術におけるプッシュスタートのスイッチを示す説明図である。
実施例２においては、第１表示は「ENGINE」と「START」、第２表示は「ENGINE」と「STOP」、第３表示は「ENGINE」と「SWITCH」、とする。
表示を「ENGINE」とする部分については、調光印刷部１０ｄと白印刷部分１０ｈの組み合わせとしても、白印刷部分１０ｈのみとしてもよい。
また、実施例２では、ガイドハウジング７とスイッチフィニッシャ２の間に空間を設け、その空間の基板６上に第３光源３１を複数箇所に設け、上部のガイドハウジング７とスイッチフィニッシャ２の間に、環状のガイドライト３２を設ける。
その他構成は、実施例１と同様であるので、説明を省略する。
【００３２】
作用効果を説明する。
[表示作用]
図８(a)〜(c)に示すように、昼間は外光によりプッシュスタートのスイッチの位置がわかりやすくなり、第３表示１４は自然光の反射光にて視認できることになる。この昼間の場合、スタート、ストップによって、第３光源３１によるガイドライト３２の点灯、消灯を切り替えて、リング状の光の表示、非表示を切り替えてもよい。
【００３３】
夜間の場合には、第３光源３１を点灯させ、外光により第３表示１４を図８(c)に示すように表示させる。
さらに、夜間においては、第３光源３１を消灯し、第１光源３又は第２光源４を点灯させることにより、図８(a),(b)に示すように第１表示１２、第２表示１３を切り替えて表示させる。
従来の技術におけるプッシュスタートのスイッチ５１を図９に示す。従来においては、インジケータ５２の点灯変化により状態変化を示す。
【００３４】
これに対して、実施例２では、夜間にスイッチの状態を「START」、「STOP」で表示させることにより、スイッチの配置がわかるだけでなく、その状態を表示でき、スイッチの大きさを変更させることなく、且つ情報を表示する位置を変更することなく大きく表示させることができ、非常にわかりやすい表示ができる。
【００３５】
さらに、効果として、上記(1)〜(5)に加えて、以下の効果を有する。
(6)白印刷部分１０ｈが第３表示１４を行うために反射する光を、白印刷部分１０ｈに照射する第３光源３１を設けたため、外光が暗い状態においても、第３表示１４を行うことができる。
その他作用効果は実施例１と同様であるので、説明を省略する。
【００３６】
（その他の実施の形態）
以上、本発明の実施の形態を実施例１、実施例２に基づいて説明してきたが、本発明の具体的な構成は実施例に限定されるものではなく、発明の要旨を逸脱しない範囲の設計変更等があっても、本発明に含まれる。
第１表示、第２表示は他の色であってもよい。
印刷には、シルク印刷、凸版印刷、インクジェット印刷、熱転写印刷があり、いずれの印刷によるものでもよい。また、他の印刷によるものであってもよい。
実施例２では、夜間に第１表示と第２表示を行ったが、スモークの濃さや、白印刷の濃さ等を調整して昼間も第１表示、第２表示を行うようにしてもよい。
【図面の簡単な説明】
【００３７】
【図１】実施例１の可変表示構造のスイッチを示す断面図である。
【図２】実施例１のカラーフィルタの正面図である。
【図３】図２のＡ−Ａ断面図である。
【図４】第１スモーク印刷部分、第２スモーク印刷部分、白印刷部分を除いたカラーフィルタの正面図である。
【図５】第１印刷部分、第２印刷部分の特性と第１光源、第２光源の波長との関係を示す説明図である。
【図６】第１表示、第２表示、第３表示を表示させた状態を示す説明図である。
【図７】実施例２の可変表示構造のプッシュスタートのスイッチを示す断面図である。
【図８】実施例２の第１表示、第２表示、第３表示を表示させた状態を示す説明図である。
【図９】従来の技術におけるプッシュスタートのスイッチを示す説明図である。
【符号の説明】
【００３８】
１  スイッチ
２  スイッチフィニッシャ
３  第１光源
４  第２光源
５  タクトスイッチ
６  基板
７  ガイドハウジング
８  スライダ
８ａ  係合部
１０  カラーフィルタ
１０ａ  シート
１０ｂ  第１印刷部分
１０ｃ  第２印刷部分
１０ｄ  調光印刷部
１０ｅ  背景印刷部分
１０ｆ  第１スモーク印刷部分
１０ｇ  第２スモーク印刷部分
１０ｈ  白印刷部分
１１  スモークレンズ
１２  第１表示
１３  第２表示
１４  第３表示
２１〜２４  線
３１  第３光源
３２  ガイドライト
５１  スイッチ
５２  インジケータ
【図１】
2006337772.tif 000003
【図２】
2006337772.tif 000004
【図３】
2006337772.tif 000005
【図４】
2006337772.tif 000006
【図５】
2006337772.tif 000007
【図６】
2006337772.tif 000008
【図７】
2006337772.tif 000009
【図８】
2006337772.tif 000010
【図９】
2006337772.tif 000011